(57)【要約】【課題】不適正な紙幣の混在率の低下を図るために、鑑別部の紙幣鑑別の判定レベルを簡単かつ適切に設定することができるようにする。【解決手段】本発明の紙幣処理装置は、紙幣状態を評価する複数の検査項目と、紙幣状態に応じて紙幣を複数の属性に分類する判別レベル値を検査項目毎に記憶する判別レベル記憶手段と、入力された紙幣の紙幣状態について複数の検査項目の評価レベル値を判定し、複数の検査項目の判定結果に基づいて、当該入力された紙幣を複数の属性のいずれかに判別する紙幣状態判定手段と、複数の検査項目の判別レベル値を変更する判別レベル変更手段とを備える。【選択図】      図５
2014228885.tif 000002
【特許請求の範囲】
【請求項１】
紙幣状態を評価する複数の検査項目と、紙幣状態に応じて紙幣を複数の属性に分類する判別レベル値を上記検査項目毎に記憶する判別レベル記憶手段と、
入力された紙幣の紙幣状態について上記複数の検査項目の評価レベル値を判定し、上記複数の検査項目の判定結果に基づいて、当該入力された紙幣を複数の属性のいずれかに判別する紙幣状態判定手段と、
上記複数の検査項目の判別レベル値を変更する判別レベル変更手段と
を備えることを特徴とする紙幣処理装置。
【請求項２】
上記判別レベル変更手段が、上記判別レベル記憶手段に記憶されている上記複数の検査項目の判別レベル値を出力して、上記判別レベル記憶手段における上記検査項目毎の判別レベル値を変更するものであることを特徴とする請求項１に記載の紙幣処理装置。
【請求項３】
上記判別レベル変更手段が、上記紙幣状態判定手段により紙幣を複数の属性に分類した判別結果に基づいて、上記判別レベル記憶手段における上記検査項目毎の判別レベル値を自動的に変更するものであることを特徴とする請求項１に記載の紙幣処理装置。
【請求項４】
上記判別レベル変更手段が、上記紙幣状態判定手段により判別された属性と異なる属性とすべき紙幣の上記複数の検査項目の評価レベルに基づいて、上記紙幣状態判定手段の判別要因と解析し、上記判別要因となった、上記判別レベル記憶手段における検査項目の判別レベル値を変更するものであることを特徴とする請求項３に記載の紙幣処理装置。
【請求項５】
上記判別レベル変更手段が、上記紙幣状態判定手段により判別された属性と異なる属性とすべき紙幣について、上記判別要因となった、上記判別レベル記憶手段における検査項目の判別レベル値に所定値を加減するものであることを特徴とする請求項４に記載の紙幣処理装置。
【請求項６】
上記判別レベル変更手段が、上記紙幣状態判定手段により判別された属性と異なる属性とすべき１又は複数の紙幣の全ての上記複数の検査項目の評価レベル値と、上記判別レベル記憶手段における上記複数の検査項目の判別レベル値とを比較し、その比較結果に基づいて、上記判別レベル記憶手段における上記各検査項目の判別レベル値を変更するものであることを特徴とする請求項３に記載の紙幣処理装置。
【請求項７】
上記判別レベル変更手段が、上記紙幣状態判定手段により損券と判別された全ての正券の上記複数の検査項目の評価レベル値のうち、上記各検査項目の最小値と、上記判別レベル記憶手段における上記各検査項目の判別レベル値とを比較して、各検査項目の小さい値に変更するものであることを特徴とする請求項６に記載の紙幣処理装置。
【請求項８】
上記判別レベル変更手段が、上記紙幣状態判定手段により流通券と判別された全てのＡＴＭ券の上記複数の検査項目の評価レベル値のうち、上記各検査項目の最小値と、上記判別レベル記憶手段における上記各検査項目の判別レベル値とを比較して、各検査項目の小さい値に変更するものであることを特徴とする請求項６又は７に記載の紙幣処理装置。
【請求項９】
上記紙幣状態判定手段により属性判別された各紙幣の判別要因情報を記憶する判別要因記憶手段と、
上記判別要因記憶手段に記憶されている上記判別要因情報の一覧を出力する判別要因情報出力手段と
を備えることを特徴とする請求項１〜８のいずれかに記載の紙幣処理装置。
【発明の詳細な説明】
【技術分野】
【０００１】
本発明は、紙幣処理装置に関し、例えば、紙幣を鑑別する鑑別部を備える紙幣処理装置に適用し得るものである。
【背景技術】
【０００２】
金融機関の本支店や大型小売店等の１日に多くの紙幣を取り扱う店舗において、紙幣結束整理装置が導入され、精査時等に回収した紙幣を一定枚数毎に束ねて整理することが行われている。また、複数の本支店や小売店から紙幣を回収するセンタにおいて、紙幣結束整理装置が導入され、各店舗から回収した紙幣を一定枚数毎に束ねて整理することが行われている。
【０００３】
従来の紙幣結束整理装置としては、特許文献１の記載技術がある。従来の紙幣結束整理装置において、投入部にセットされた多数枚の紙幣は、１枚ずつ鑑別部に搬送されて、金種や、正券又は損券等の鑑別が実行され、オペレータによる予めの指定に基づいて、複数の一時集積部に分別されて集積される。従来の紙幣結束整理装置では、一時集積部で集積枚数が所定枚数に達すると、その所定枚数の紙幣が紙テープ等の結束材により束ねられて放出される。なお、以下では、結束された後の紙幣を「紙幣束」と呼び、結束される前の紙幣を「結束対象紙幣」と呼ぶものとする。
【０００４】
また、特許文献１に記載された紙幣結束整理装置では、紙幣の傷みが激しく紙幣発行銀行に返却することが好ましい状態の紙幣（以下、「損券」と呼ぶ）と、損券と言えるほどの痛みではない紙幣（以下、「正券」と呼ぶ）とを鑑別し、正券のみを結束対象紙幣として取り扱っている。
【０００５】
また、従来の紙幣結束整理装置では、正券について、さらに細分化して痛みの程度に応じてランク分けするものが存在する。例えば、従来の紙幣結束整理装置では、ＡＴＭ／ＣＤなどに代表される自動入出金機での利用に耐え得る比較的程度の良い（痛みの少ない）紙幣をＡＴＭ券（ＡＴＭ−ＦＩＴ券）とし、それ以外の正券を流通券として取り扱うものがある。また、従来の紙幣結束整理装置では、紙幣の汚損状態、破損状態等の様々な検査項目（以下、単に「検査項目」とも呼ぶ）に基づいて鑑別を行っている。
【先行技術文献】
【特許文献】
【０００６】
【特許文献１】特開２０１１−１１３１５２号公報
【発明の概要】
【発明が解決しようとする課題】
【０００７】
しかしながら、近年の紙幣結束整理装置は、細分化された分類方法で紙幣を分類することが望まれており、鑑別部の判別レベルの設定方法が複雑化しており、判別レベルの設定に時間を要するという問題が生じ得る。
【０００８】
例えば、従来の紙幣の分類方法は、正券又は損券の２種類に分類している。しかし、正券には、上述したように、ＡＴＭ−ＦＩＴ券と、それ以外の流通券とがあるため、ＡＴＭ券、流通券、損券の３種類を鑑別して、分類することが望まれる。
【０００９】
さらに、例えば、流通券と損券、流通券とＡＴＭ券を分別するために、汚損の程度（例えば、紙幣周辺部の汚損であるか、透かし部の汚損であるか等）、破損の程度（例えば、角折れ破損であるか、角破れであるか等）、紙幣へのテープの貼り付けの有無等のように、細分化された鑑別判定レベルを適切に設定することが必要となる。
【００１０】
上記のように、紙幣の分類方法は細分化されており、鑑別部の鑑別判定レベルの設定が適切になされない場合、不適正な紙幣の混在率が悪化してしまうという問題が生じ得る。
【００１１】
そのため、上記課題に鑑み、不適正な紙幣の混在率の低下を図るために、鑑別部の紙幣鑑別の判定レベルを簡単かつ適切に設定することができる紙幣処理装置が求められている。 
【課題を解決するための手段】
【００１２】
かかる課題を解決するために、本発明の紙幣処理装置は、紙幣状態を評価する複数の検査項目と、紙幣状態に応じて紙幣を複数の属性に分類する判別レベル値を検査項目毎に記憶する判別レベル記憶手段と、入力された紙幣の紙幣状態について複数の検査項目の評価レベル値を判定し、複数の検査項目の判定結果に基づいて、当該入力された紙幣を複数の属性のいずれかに判別する紙幣状態判定手段と、複数の検査項目の判別レベル値を変更する判別レベル変更手段とを備えることを特徴とする。
【発明の効果】
【００１３】
本発明によれば、不適正な紙幣の混在率の低下を図るために、鑑別部の紙幣鑑別の判定レベルを簡単かつ適切に設定することができる。
【図面の簡単な説明】
【００１４】
【図１】第１の実施形態の紙幣結束整理装置の外観を示す斜視図である。
【図２】第１の実施形態の紙幣結束整理装置の内部構造を示す内部構成図である。
【図３】第１の実施形態に係る操作部の構成を示す構成図である。
【図４】第１の実施形態の紙幣結束部による紙幣結束動作を説明する説明図である。
【図５】第１の実施形態に係る紙幣結束整理装置の制御系の構成を示す構成図である。
【図６】第１の実施形態に係る一時集積部設定情報の構成を示す構成図である。
【図７】第１の実施形態の判別レベル設定情報の構成を示す構成図である。
【図８】第１の実施形態の紙幣結束整理装置における判別レベルの設定処理の動作を示すフローチャートである（その１）。
【図９】第１の実施形態の紙幣結束整理装置における判別レベルの設定処理の動作を示すフローチャートである（その２）。
【図１０】第１の実施形態に係る準備完了画面の一例を示す画面図である。
【図１１】第１の実施形態の認識レベル設定画面の一例を示す画面図である。
【図１２】第１の実施形態の検査項目毎の認識レベル設定画面の一例を示す画面図である（その１）。
【図１３】第１の実施形態の検査項目毎の認識レベル設定画面の一例を示す画面図である（その２）。
【図１４】第１の実施形態の認識レベル設定画面において変更後の認識レベルを表示する画面図である。
【図１５】第２の実施形態に係る紙幣結束整理装置の制御系の構成を示す構成図である。
【図１６】第２の実施形態の紙幣結束整理装置における判別レベルの設定処理の動作を示すフローチャートである（その１）。
【図１７】第２の実施形態の紙幣結束整理装置における判別レベルの設定処理の動作を示すフローチャートである（その２）。
【図１８】第２の実施形態の認識レベル設定画面の一例を示す画面図である。
【図１９】第２の実施形態の認識レベル設定画面において正券投入を促すメッセージを表示する画面図である。
【図２０】第２の実施形態の認識レベル設定画面において損券認識レベル読み込み中のメッセージを表示する画面図である。
【図２１】第２の実施形態の認識レベル設定画面において損券レベル設定を促すメッセージを表示する画面図である。
【図２２】第２の実施形態の判別レベル自動設定部により変更後の認識レベル値を表示する認識レベル設定画面の一例を示す画面図である。
【図２３】第３の実施形態に係る紙幣結束整理装置の制御系の構成を示す構成図である。
【図２４】第３の実施形態の紙幣結束整理装置における判別レベルの設定処理の動作を示すフローチャートである（その１）。
【図２５】第３の実施形態の紙幣結束整理装置における判別レベルの設定処理の動作を示すフローチャートである（その２）。
【図２６】第３の実施形態の紙幣結束整理装置における判別レベルの設定処理の動作を示すフローチャートである（その３）。
【図２７】第３の実施形態の紙幣結束整理装置における判別レベルの設定処理の動作を示すフローチャートである（その４）。
【図２８】第３の実施形態の認識レベル設定画面の一例を示す画面図である。
【図２９】第３の実施形態の判別レベル自動設定部により変更後の認識レベル値を表示する認識レベル設定画面の一例を示す画面図である。
【図３０】第３の実施形態の認識レベル設定画面においてＡＴＭ券投入を促すメッセージを表示する画面図である。
【図３１】第３の実施形態の認識レベル設定画面においてＡＴＭ券認識レベル読み込み中のメッセージを表示する画面図である。
【図３２】第３の実施形態の認識レベル設定画面においてＡＴＭ券レベル設定を促すメッセージを表示する画面図である。
【図３３】第３の実施形態の判別レベル自動設定部により変更後の認識レベル値を表示する認識レベル設定画面の一例を示す画面図である。
【図３４】第３の実施形態の認識レベル情報の構成を説明する説明図である。
【図３５】第４の実施形態に係る紙幣結束整理装置の制御系の構成を示す構成図である。
【図３６】第４の実施形態の損券要因情報の構成を説明する説明図である。
【図３７】第４の実施形態の紙幣結束整理装置における処理を説明するフローチャートである。
【図３８】第４の実施形態に係る計数中画面の一例を示す画面図である。
【図３９】第４の実施形態の完了待ち画面の一例を示す画面図である。
【図４０】第４の実施形態の操作表示部に一覧表示される損券要因情報を示す画面図である。
【発明を実施するための形態】
【００１５】
（Ａ−１）第１の実施形態
以下では、本発明の紙幣処理装置の第１の実施形態を、図面を参照しながら詳細に説明する。
【００１６】
第１の実施形態では、所定枚数の紙幣を結束して整理する紙幣結束整理装置に本発明を適用する場合を例示する。
【００１７】
（Ａ−１）第１の実施形態の構成
図１は、第１の実施形態に係る紙幣結束整理装置の外観を示す斜視図である。
【００１８】
図１において、第１の実施形態に係る紙幣結束整理装置１００は、投入部１、結束対象外紙幣集積部５、操作部７、リジェクト紙幣集積部８、放出部１１、開閉部１２、操作表示部１３を有する。
【００１９】
図２は、第１の実施形態の紙幣結束整理装置１００の内部構造を示す内部構成図である。図２において、図１と同一・対応する構成要素には同一の符号を付している。
【００２０】
図２において、第１の実施形態に係る紙幣結束整理装置１００は、投入部１、鑑別部２、搬送路３、表裏調整部４、結束対象外紙幣集積部５、集積部６、リジェクト紙幣集積部８、移送部９、紙幣結束部１０、放出部１１を有する。
【００２１】
投入部１は、例えばオペレータ等の利用者によりセットされた紙幣を取り込み、取り込んだ紙幣を１枚ずつ鑑別部２に送るものである。投入部１の位置は、特に限定されるものではないが、紙幣結束整理装置１０の正面上部に設けられる場合を例示する。なお、投入部１は、多数枚の紙幣をセットすることができる。また、投入部１は、多数枚重ねられた紙幣を縦置きする縦置き型又は横置きにする横置き型のいずれであっても良い。
【００２２】
鑑別部２は、投入部１から送られた紙幣の真偽（真券、偽券）、金種、正損（正券又は損券）、表裏、折れ券等の紙幣の状態を判別するものである。鑑別部２は、所定の判別レベル設定情報の複数の検査項目に基づいて、紙幣の状態を判別するものである。これにより、紙幣状態を評価する細分化された複数の検査項目のそれぞれを判定することができる。
【００２３】
紙幣の状態を認識する方法は、既存の鑑別装置に関する技術を広く適用することができる。例えば、鑑別部２は、紙幣の画像を撮像するイメージセンサを備えており、撮像された紙幣の画像に基づいて、汚損や落書きや破損等の有無を判定したり、汚損や落書きや破損等の位置を特定したりする方法を適用することができる。例えば、紙幣に汚れがあった場合、紙幣全体の範囲又は紙幣の特定箇所の範囲において汚損が占める割合や汚損の程度（例えば明度等）を鑑定部２は評価する。つまり、鑑別部２は、複数の検査項目の評価レベル値（以下、汚損レベル値又は認識レベル値ともいう）を求め、複数の検査項目の評価レベル値と、判別レベル設定情報５２２に記憶されている各検査項目の判別レベル値（閾値）とを比較して損券又は正券（あるいは、流通券、ＡＴＭ券）を判別したりする。
【００２４】
また、鑑別部２は、金種毎の紙幣を計数して、投入された金額を求めるものである。なお、鑑別部２による紙幣の計数動作において、鑑別部２の紙幣状態認識処理がなされる。
【００２５】
鑑別部２により金種不明と判定された紙幣は、搬送路３を介してリジェクト紙幣集積部８に搬送される。また、鑑別部２により真券と判定された紙幣は表裏調整部４に搬送される。
【００２６】
表裏調整部４は、鑑別部２による表裏判定結果に基づいて、鑑定部２から搬送される紙幣の表裏を整えるものである。例えば、紙幣を表に揃える場合、表裏調整部４は、裏で送られてきた紙幣を反転させ、反転させた紙幣を送り出すものである。
【００２７】
表裏調整部４は、搬送された紙幣が結束対象の金種である場合、当該紙幣を集積部６に送り、結束対象外の金種である場合、結束対象外紙幣集積部５に送る。なお、表裏調整部４の位置は、鑑別部２の下流側であれば特に限定されない。
【００２８】
結束対象外紙幣集積部５は、表裏調整部４から送られてきた結束対象外の金種の紙幣を集積するものである。結束対象外紙幣集積部５は、例えば紙幣を集積するオープンポケット型の集積部を適用することができる。結束対象外紙幣集積部５は、オペレータ等の利用者が結束対象外の紙幣を直接取り扱うことができる位置にあることが望ましい。例えば、この実施形態では、紙幣結束整理装置１００の上部に設けられている場合を例示する。
【００２９】
集積部６は、表裏調整部４から送られてきた結束対象の金種の紙幣を金種毎に集積する集積機構である。図２に例示するように、集積部６は、上下方向に５個の一時集積部６ａ〜６ｅを並べて設けられている。
【００３０】
一時集積部６ａ〜６ｅは、それぞれ予め設定された枚数（例えば１００枚）を集積するものである。
【００３１】
操作部７は、例えばオペレータ等の利用者が操作するものである。操作部７の位置は、特に限定されないが、例えば、この実施形態では、投入部１の右側に設けた場合を例示する。
【００３２】
図３は、第１の実施形態に係る操作部７の構成を示す構成図である。図３に示すように、操作部７は、紙幣の計数開始又は停止を指示する計数開始／停止キー７ａ、計数及び結束処理の完了を指示する完了キー７ｂ、紙幣結束整理装置１００の障害復旧時等に再稼動させるためのリセットキー７ｃを有する。また、操作部７は状態表示部７ｄを有する。例えば、稼働時に状態表示部７ｄは緑色に発光し、アラーム時に状態表示部７ｄは赤色に発光する等のように、状態表示部７ｄは、装置状態に応じて出力するものである。
【００３３】
リジェクト紙幣集積部８は、鑑別部２により金種不明と鑑別された、あるいは搬送異常が検知された紙幣をリジェクト紙幣として集積するものである。リジェクト紙幣集積部８は、オペレータ等の利用者がリジェクト紙幣を直接取り扱うことができる位置にあることが望ましい。例えば、この実施形態では、紙幣結束整理装置１００の上部に設けられている場合を例示する。
【００３４】
移送部９は、一時集積部６ａ〜６ｅに集積された所定枚数の紙幣を紙幣結束部１０に移送するための移送機構である。移送部９は、上下方向（図２の矢印Ｅ方向と矢印Ｆ方向）に移動可能なものであり、移送部９は対象とする一時集積部６ａ〜６ｅが設置されている位置まで移動する。そして、移送部９が備えるクランプ部３０が図２のＣ方向及びＤ方向に移動し、クランプ部３０が当該一時集積部６ａ〜６ｅに集積されている所定枚数の紙幣を取り出して紙幣結束部１０に紙幣を移送する。
【００３５】
紙幣結束部１０は、移送部９によって移送された所定枚数の紙幣を結束材で束ねる紙幣結束機構である。紙幣結束部１０は、結束した所定枚数の紙幣の束を紙幣束の放出部１１に放出する。
【００３６】
開閉部１２は、例えばオペレータが開閉部１２を開くことで、紙幣結束整理装置１００内の集積部６にアクセスすることができる。
【００３７】
操作表示部１３は、オペレータが機能選択や必要な情報を入力したり、装置状態を表示したり、入力された情報を表示したり、鑑別部２による鑑別結果（正損結果等）や金種毎の計数結果等を表示したりするものである。操作表示部１３は、例えばＬＣＤ等の表示画面の表面にタッチパネルを配置させたタッチパネル式の操作表示部を用いることができる。
【００３８】
例えば、オペレータが鑑別部２の鑑別方法の詳細な設定を行う場合、オペレータは、操作表示部１３に表示される表示画面を見ながら、鑑別部２の詳細設定を行うことができる。また例えば、オペレータが一時集積部６ａ〜６ｅに集積する紙幣の金種や集積順序等を設定する場合も、オペレータが、操作表示部１３に表示される表示画面を見ながら設定することができる。
【００３９】
図４は、第１の実施形態の紙幣結束部１０による紙幣結束動作を説明する説明図である。
【００４０】
図４において、紙幣結束機構としての紙幣結束部１０は、ローラ及びベルト等を有して成る搬送手段４０と、例えば紙テープ等の結束材４１と、印字手段４２と、結束材４１を供給する結束材供給手段４３と、結束材４１を所定の長さに切断するカッタ４４と、図示しない結束手段とを備えている。
【００４１】
なお、図４に示すように、搬送手段４０は、所定枚数の紙幣を一纏めに挟んで搬送するため、上側に配置されるローラ及びベルトと、下側に配置されるローラ及びベルトとを備える。搬送手段４０を構成するローラ及びベルトは、図示しない昇降駆動手段により駆動されて、矢印Ｈ方向に昇降可能となっている。そのため、上側のローラ及びベルトと下側のローラ及びベルトとの間の長さ（距離）が相対的に変更可能である。そのため、施封する紙幣の枚数が変更となった場合でも、搬送手段４０は搬送可能に構築されている。
【００４２】
図４において、まず、移送部９のクランプ部３０によって移送された所定枚数（例えば１００枚）の紙幣が、搬送手段４０に置かれる（矢印Ｉ）。搬送手段４０はローラ及びベルトを回転させ、紙幣を矢印Ｋ方向に移動させて結束位置まで搬送する。
【００４３】
続けて、結束材供給手段４３は結束材４１を矢印Ｌ方向に供給する。図示しない結束手段は紙幣に施封する。その際、印字手段４２は結束材４１に結束する紙幣に関する情報（例えば、ＡＴＭ−ＦＩＴ券と流通券と損券の別、金種等）を、インクリボンを介して印字する。印字された結束材４１は所定の長さにカッタ４４で切断され、この切断された結束材４１ａを結束手段が結束位置に搬送された１００枚の紙幣に巻きかけて結束することにより紙幣束を作成する。こうして作成された紙幣束は更に搬送手段４０により矢印Ｎ方向に搬送され、放出部１１に送られる。
【００４４】
次に、第１の実施形態に係る紙幣結束整理装置１００の制御系の構成について図５を用いて説明する。
【００４５】
図５において、紙幣結束整理装置１００は、当該紙幣結束整理装置１００の全体的な動作制御を司る制御部５０を備える。制御部５０は、Ｉ／Ｏインタフェース回路５１を介して、投入部１、鑑別部２、搬送路３、表裏調整部４、集積部６、操作部７、移送部９、紙幣結束部１０、操作表示部１３、カウンタ５１ａ〜５１ｅなどが接続されている。
【００４６】
カウンタ５１ａ〜５１ｅはそれぞれ、一時集積部６１ａ〜６１ｅに１対１で対応しており、例えば、対応する一時集積部６１ａ〜６１ｅの所定位置に設けられているセンサが進入紙幣を検知する毎にカウントアップするものである。ここでは、カウンタ５１ａ〜５１ｅとしてハードウェアのカウンタを適用しているが、制御部５０がメモリ部５１を利用するソフトウェア的なカウンタを適用しても良い。
【００４７】
制御部５０は、例えば、プロセッサとメモリを有するコンピュータ（例えば、マイクロコンピュータ等）であり、プロセッサが処理プログラムを実行することにより、紙幣結束整理装置１００の各種機能を実現する。また、処理プログラムは、インストールすることにより構築することができ、その場合でも機能的には図５のように示すことができる。
【００４８】
図５は、第１の実施形態の制御部５０により実行される処理部の１つとしての鑑別制御部５３と、制御部５０の記憶部５２の構成とを示している。
【００４９】
鑑別制御部５３は、鑑別部２の判別レベルを制御するものである。後述するように、鑑別部２は、判別レベル設定情報５２２に基づいて、紙幣の真偽や正損等の判別を行う。そこで、鑑別制御部５３は、操作表示部１３や操作部７を介して取得したオペレータの操作入力情報に基づいて、判別レベル設定情報５２２の詳細な設定や又は設定変更を行うものである。これにより、鑑別部２による紙幣判別の方法を詳細に設定することができるため、細分化された分類方法で紙幣を分類することができる。
【００５０】
鑑別制御部５３は、判別レベル表示制御部５３１と、判別レベル設定部５３２とを有する。
【００５１】
判別レベル表示制御部５３１は、操作表示部１３から判別レベルの設定又は変更を示す信号が入力されると、判別レベル設定画面を操作表示部１３に表示するものである。
【００５２】
ここで、第１の実施形態の制御部５０は、判別レベルを設定又は変更するために設定格納バッファと、編集用格納バッファとを有する。設定格納バッファは、判別レベル情報の設定値を格納するバッファである。鑑別部２は、設定格納バッファに格納されている判別レベル情報に基づいて、判別処理を行う。これに対して、編集用格納バッファは、判別レベル情報の設定値を変更するときに使用されルものであり、変更前の判別レベル情報の設定値を格納するバッファである。
【００５３】
判別レベル表示制御部５３１は、判別レベルの設定又は変更を示す信号が入力されると、それまでの変更前の判別レベル情報を、編集用格納バッファに移動させて、判別レベル設定画面の表示を行う。
【００５４】
判別レベル設定部５３２は、判別レベル設定画面を表示させている操作表示部１３から設定入力情報を取得し、その設定入力情報に基づいて、判別レベル情報の設定値を設定・変更するものである。
【００５５】
判別レベル設定部５３２は、編集用格納バッファに格納されている判別レベル情報の設定値を、編集用格納バッファ上で上書きをして設定値の変更を行う。また、判別レベル情報の設定値の変更が終了すると、判別レベル設定部５３２は、編集用格納バッファに格納されている変更後の判別レベル情報を、設定格納バッファに移動させる。
【００５６】
ここで、後述するように、判別レベル設定情報５２２は、正損等判別に関して複数の項目を有しており、判別レベル設定部５３２は、複数の項目のうち一部又は全部の項目について設定値の設定又は変更を行うことができる。
【００５７】
記憶部５２は、制御部５０による制御処理等に必要な各種情報を記憶するものである。図５に示すように、記憶部５２は、少なくとも、一時集積部設定情報５２１、判別レベル設定情報５２２を記憶している。
【００５８】
図６は、第１の実施形態に係る一時集積部設定情報５２１の構成を示す構成図である。
【００５９】
ここで、一時集積部設定情報５２１は、紙幣の種類に応じた、紙幣の集積先を示す情報である。集積先は、例えば、一時集積部６１ａ〜６１ｅと、結束対象外紙幣集積部５と、リジェクト紙幣集積部８とがある。
【００６０】
図６に示すように、一時集積部設定情報５２１は、集積先を示す「集積先ＩＤ」と紙幣の「種類」とを項目として有しており、更に「種類」は、紙幣の「金種」と「券種」とを項目とする。つまり、一時集積部設定情報５２１は、紙幣の金種と券種との組み合わせに応じて集積先を決定している。
【００６１】
ここで、図６において、金種とは、紙幣の額面に応じて決まるものとしている。なお、第１の実施形態では、紙幣結束整理装置１００は、中華人民共和国（人民元）の６金種の紙幣（１００元紙幣、５０元紙幣、２０元紙幣、１０元紙幣、５元紙幣、１元紙幣）について処理が可能であるものとする。
【００６２】
また、図６において、券種とは、紙幣の属性を示すものとする。具体的には、紙幣の券種は、紙幣の真偽、紙幣の傷みの度合い等の項目に基づいて定められるものである。例えば、第１の実施形態の鑑別部２は、紙幣の傷みの度合いに応じて、ＡＴＭ券、流通券、損券の３段階に判別（分類）するものとする。このような場合、図６に例示するように、一時集積部設定情報５２１は、券種の項目に設定する内容として、「無し」（紙幣の券種を限定しない）、「ＡＴＭ券」、「流通券」、「損券」、「ＡＴＭ＋流通」（ＡＴＭ券及び流通券）、「流通＋損」（流通券及び損券）、「真偽ＲＪ」（偽券としてリジェクトすべき紙幣）のいずれかが設定されるようにしても良い。なお、一時集積部設定情報５２１の券種の項目に設定する情報の種類、数、条件の組み合わせについては上述の例に限定されないものである。
【００６３】
図６に示すように、一時集積部設定情報５２１では、各集積先は、集積先ごとに付与されたＩＤ（以下、「集積先ＩＤ」と呼ぶ）により表されている。例えば、集積先ＩＤは、一時集積部６１ａ〜６１ｅと、結束対象外紙幣集積部５と、リジェクト紙幣集積部８とに対して１〜７のＩＤが付与されている。
【００６４】
例えば、一時集積部６１ａ〜６１ｅのそれぞれの集積先ＩＤを「１」〜「５」とし、結束対象外紙幣集積部５の集積先ＩＤを「６」とし、リジェクト紙幣集積部８の集積先ＩＤを「７」等のように設定する。例えば、図６の例の場合、金種が「１００元紙幣」で、券種が「ＡＴＭ券＋流通券」である紙幣は、「集積先ＩＤ：５」の一時集積部６１ｅを集積先とすることを意味する。
【００６５】
図７は、第１の実施形態の判別レベル設定情報５２２の構成を示す構成図である。
【００６６】
ここで、判別レベル設定情報５２２は、鑑別部２が行う紙幣の状態に係る認識処理（紙幣状態認識処理）の検査項目ごとのパラメータ（閾値）で構成されている。
【００６７】
図７に例示する判別レベル設定情報５２２は、紙幣状態認識処理に係る検査項目として「１８項目」あり、それぞれの検査項目について鑑別部２が分類するための閾値（判別レベル値）を記憶している。
【００６８】
鑑別部２は、各検査項目について、紙幣を検査し、その検査結果（評価結果）についての評価値（認識レベル値）を算出する。そして、鑑別部２は、真券と認識された紙幣について、判別レベル設定情報５２２の判別レベルに従い紙幣状態認識処理を行う。ここで、第１の実施形態では、鑑別部２は、各検査項目について１〜２５５の範囲の整数値に正規化された認識レベルを算出するものとする。鑑別部２は、検査項目ごとに、状態が良好な紙幣（より痛みの度合いの少ない紙幣）ほど、より高い値の認識レベルを算出するものとする。
【００６９】
なお、この実施形態では、説明を簡易とするために、鑑別部２は、各検査項目の認識レベルとして、全て同じ範囲の整数値（１〜２５５）に正規化された値を算出するものとして説明するが、検査項目ごとに算出する数値の単位や範囲は異なるものとしてもよい。そして、この実施形態では、鑑別部２は、各検査項目について、ＡＴＭ券と認識可能な認識レベル値の下限値（以下、「ＡＴＭ券レベル」と呼ぶ）と、損券と認識される認識レベル値の上限値（以下、「損券レベル」と呼ぶ）とを登録している。
【００７０】
すなわち、鑑別部２は、全ての検査項目についてＡＴＭ券レベル以上の認識レベルを算出した紙幣については、ＡＴＭ券と認識する。また、鑑別部２は、全ての検査項目について損券レベルより高い認識レベルであり、１個以上の検査項目についてＡＴＭ券レベルより小さい認識レベルの紙幣については、流通券と認識する。さらに、鑑別部２は、１個以上の検査項目について損券レベル以下の認識レベルの紙幣については、損券と認識するものとする。
【００７１】
図７に示す判別レベル設定情報５２２では、検査項目ごとに、識別子としての管理番号、当該検査項目の名称、損券レベル、及びＡＴＭ券レベルが登録されている。図７に示す判別レベル設定情報５２２では、「１」〜「２０」の各管理番号の検査項目が登録されている。図７に示す判別レベル設定情報５２２では、管理番号「１」から順に、「透かし部分汚損」、「肖像部部分汚損」、「外周部分汚損」、「その他部分汚損」、「特定パターン落書き」、「透かし部落書き」、「肖像部落書き」、「その他落書き」、「角折れ破損」、「角破れ破損」、「形状破損」、「破れ破損」、「穴破損」、「テープ」、「全体汚損：百」、「全体汚損：五十」、「全体汚損：二十」、「全体汚損：十」の検査項目が登録されている。また、これらの項目に加えて新たな項目を追加できるようにするため、予備の項目として「リザーブ：１」、「リザーブ：２」がある。
【００７２】
なお、上述の検査項目のうち、「全体汚損：百」、「全体汚損：五十」、「全体汚損：二十」、「全体汚損：十」は、それぞれ券種が１００元紙幣、５０元紙幣、２０元紙幣、及び１０元紙幣にのみ適用される検査項目であり、それ以外の検査項目は全ての券種で共通の検査項目である。
【００７３】
図７に示す検査項目のうち、「透かし部分汚損」、「肖像部部分汚損」、「外周部分汚損」、「その他部分汚損」は、紙幣の部分ごとの汚損に係る検査項目である。「透かし部分汚損」、「肖像部部分汚損」、及び「外周部分汚損」は、それぞれ、紙幣を構成する該当する部分（それぞれ紙幣の透かし部分、肖像部分、及び外周部分）の汚損の度合いに係る検査項目である。そして、「その他部分汚損」は、上述の３つの検査項目以外の部分の汚損の度合いに係る検査項目である。鑑別部２は、上述の各検査項目に係る部位ごとに、例えば、汚損の面積が少ないほど高い認識レベルを算出するものとする。
【００７４】
「全体汚損：百」、「全体汚損：五十」、「全体汚損：二十」、「全体汚損：十」は、それぞれ対応する券種の全面積に対する汚損の度合いに係る検査項目である。「全体汚損：百」、「全体汚損：五十」、「全体汚損：二十」、「全体汚損：十」は、例えば、紙幣全体で汚損の面積が少ないほど高い認識レベルを算出するものとする。これにより、鑑別部２では、例えば、高額紙幣ほど高い判別レベルを設定する等の処理を行うことができる。
【００７５】
図７に示す検査項目のうち、「特定パターン落書き」、「透かし部落書き」、「肖像部落書き」、「その他落書き」の検査項目は、紙幣に書き込み又は上書き印刷された落書きに係る検査項目である。「透かし部落書き」及び「肖像部落書き」は、それぞれ、紙幣の部分ごとの落書きの度合い（例えば、落書きの面積）に係る検査項目である。「透かし部落書き」及び「肖像部落書き」は、それぞれ、紙幣を構成する該当部分（それぞれ紙幣の透かし部分、及び肖像部分）の落書きの度合いに係る検査項目である。そして、「その他部分落書き」は、上述の２つの検査項目以外の部分の落書きの度合いに係る検査項目である。鑑別部２は、「透かし部落書き」及び「肖像部落書き」の検査項目に係る部位ごとに、例えば、落書きの汚損の面積が少ないほど高い認識レベルを算出するものとする。
【００７６】
「特定パターン落書き」は、予め登録された特定パターンの落書きがふされているか否かに係る検査項目である。鑑別部２には、予め１又は複数の特定パターンの画像が登録されている。そして、鑑別部２は、紙幣に特定パターンの画像が描かれているか否かを照合する。特定パターンとしては、例えば、特定の企業、宗教、団体、国、民族等に係る宣伝広告や、名誉を棄損する内容の画像が挙げられる。「特定パターン落書き」は、紙幣に特定パターンが形成されているか否かに係る検査項目である。したがって、この実施形態の鑑別部２は、特定パターンが検出された紙幣については、「特定パターン落書き」の認識レベルとして最低値「１」を出力し、特定パターンが検出されない紙幣については「特定パターン落書き」の認識レベルとして最高値「２５５」を出力するものとして説明する。
【００７７】
「角折れ破損」、「角破れ破損」、「形状破損」、「破れ破損」、「穴破損」は、それぞれ、紙幣の破損度合いに係る検査項目である。「角折れ破損」は、紙幣の角部分の折れ度合いを示す検査項目である。「角破れ破損」は、紙幣の角部分の破れによる破損度合いを示す検査項目である。「形状破損」は、紙幣の外周部分（全体形状）の破損度合いに係る検査項目である。「破れ破損」及び「穴破損」は、それぞれ、紙幣の内側部分の破れや穴の度合い（大きさ）に係る検査項目である。鑑別部２は、「角折れ破損」、「角破れ破損」、「形状破損」、「破れ破損」、「穴破損」の検査項目に係る部位ごとに、破損部分の大きさ（例えば、折れ、破れ、穴等の大きさ）が少ない（小さい）ほど、高い認識レベルを算出するものとする。
【００７８】
「テープ」の検査項目は、紙幣に接着されたテープ等に係る検査項目である。鑑別部２は、「テープ」の検査項目について、付けられたテープが少ない（小さい）ほど、低い認識レベルを算出するものとする。
【００７９】
この実施形態の鑑別部２及び判別レベル設定情報５２２では、以上のような検査項目について対応しているが、適用する検査項目の組合せや、設定する判別レベルの数等については限定されないものである。なお、制御部５０は、オペレータの操作表示部１３に対する操作（例えば、メニュー画面等の操作）に応じて、判別レベル設定情報５２２の各検査項目に係るパラメータ（損券レベル、及びＡＴＭ券レベル）の変更を受付けることが可能となっているものとする。
【００８０】
（Ａ−２）第１の実施形態の動作
図８及び図９は、第１の実施形態の紙幣結束整理装置１００における判別レベルの設定処理の動作を示すフローチャートである。
【００８１】
まず、操作表示部１３におけるオペレータ操作に基づいて、操作表示部１３は所定の準備完了画面を表示する（Ｓ１０１）。
【００８２】
図１０は、第１の実施形態に係る準備完了画面の一例を示す画面図である。図１０に示す準備完了画面は、「認識」キーＢ３１、フィールドＦ３１、フィールドＦ３２、フィールドＦ３３を有して構成される。
【００８３】
図１０に示す「認識」キーＢ３１は、鑑定部２の判別レベルを設定するための選択キーである。オペレータが、「認識」キーＢ３１を選択することにより、鑑定部２の判別レベルの設定や変更を行うことができる。
【００８４】
図１０に示すフィールドＦ３１は、結束対象外紙幣集積部５やリジェクト紙幣集積部８に集積させる券種や、現在枚数（現在集積されている枚数）や、設定枚数（各ポケットに集積する上限の枚数）等を設定するフィールドである。フィールドＦ３１は、例えばテーブル形式で、オープンポケットである結束対象外紙幣集積部５やリジェクト紙幣集積部８毎の設定が可能である。例えば、フィールドＦ３１の「ポケット」の項目において「１」は結束対象外紙幣集積部５、「ＲＪ」はリジェクト紙幣集積部８リジェクトポケット８を表している。
【００８５】
図１０に示すフィールドＦ３２は、一時集積部６１ａ〜６１ｅ毎に、現在集積中の金種、端数枚数（現在集積されている枚数のうち、結束されていない枚数）、把束数（結束（施封）した紙幣束の数）等を設定するフィールドである。フィールドＦ３２は、例えばテーブル形式で、一時集積部６１ａ〜６１ｅ毎に設定が可能である。フィールドＦ３２の項目「施封」に記載の「１」〜「５」の番号は、集積部ＩＤを示している。
【００８６】
制御部５０はキー押下待ち状態となり、準備完了画面を表示している操作表示部１３においてオペレータにより「認識」キーＢ３１が選択されると（Ｓ１０２）、制御部５０の判別レベル表示制御部５３１は、現在設定格納バッファに格納されている判別レベル情報を、編集用格納バッファに移動させる（Ｓ１０３）。これにより、現在設定されている判別レベル情報を編集用格納バッファに移動させることができるので、現在設定されている判別レベル情報の設定値を変更することができる。
【００８７】
また、判別レベル表示制御部５３１は、判別レベル情報の設定値を設定・変更させる認識レベル設定画面を、操作表示部１３に表示させる（Ｓ１０４）。
【００８８】
ここで、判別レベル表示制御部５３１は、編集用格納バッファに格納されている判別レベル情報の設定値を認識レベル設定画面に反映させるようにする。これにより、現在設定されている判別レベル情報を認識レベル設定画面に表示することができると共に、設定変更があった場合には、変更後の設定値を編集用格納バッファに格納することができる。
【００８９】
図１１は、第１の実施形態の認識レベル設定画面の一例を示す画面図である。図１１に例示する認識レベル設定画面は、判別レベル設定情報５２２に設定される検査項目と、各検査項目の判別レベル情報（すなわち、損券レベル及びＡＴＭ券レベル）とを含む画面である。これにより、検査項目毎の判別レベル情報の設定・変更を行うことができる。例えば、図１１の認識レベル設定画面において、Ｆ４０１は、検査項目「０１透かし部分汚損」について現在設定されている判別レベル情報が「１００（損券レベル）／２００（ＡＴＭ券レベル）」であることを示す。同様に。Ｆ４０２〜Ｆ４１８についても、各検査項目とその判別レベル情報を示している。また、図１１の認識レベル設定画面は、「確認」キーＢ４１、「取消」キーＢ４２を有する。
【００９０】
制御部５０はキー押下待ちの状態となり（Ｓ１０５）、認識レベル設定画面において、オペレータが設定値の変更を希望する検査項目が選択されると、判別レベル表示制御部５２１は、選択された検査項目の認識レベル設定画面を操作表示部１３に表示し（Ｓ１０６）、制御部５０は、キー押下待ち状態となる（Ｓ１０７）。
【００９１】
ここでは、オペレータが、検索項目「透かし部分汚損」の判別レベル情報の設定値を変更する場合を例示する。つまり、図１１の認識レベル設定画面において、「０１透かし部分汚損」Ｆ４０１が選択されたものとする。なお、「確認」キーや「取消」キーが押下された場合、処理はＳ１１２に移行して、準備完了画面が表示されて処理が終了する
図１２及び図１３は、第１の実施形態の検査項目毎の認識レベル設定画面の一例を示す画面図である。図１２及び図１３は、検査項目「０１透かし部分汚損」の認識レベル設定画面の一例である。
【００９２】
図１２及び図１３に例示する認識レベル設定画面は、検査項目名を示すフィールドＦ５１と、変更前の当該検査項目の判別レベル情報を示すフィールドＦ５２と、変更後の当該検査項目の判別レベル情報を示すフィールドＦ５３と、損券レベルを増減させるレベル設定フィールドＦ５４と、ＡＴＭ券レベルを増減させるレベル設定フィールドＦ５５と、「確認」キーＢ５１と、「取消」キーＢ５２とを有する。
【００９３】
上述したように、第１の実施形態では、鑑別部２が、「１」〜「２５５」の２５５段階の判別レベルで紙幣の状態を評価する。フィールドＦ５２及びＦ５３は、２５５段階の判別レベルのうち、「損券」、「流通券」、「ＡＴＭ券」として認識する認識レベルを棒グラフ形式で表示している。
【００９４】
例えば、図１２の例の場合、判定レベル値「１」〜「１００」が「損券」であり、判定レベル値「１０１」〜「１９９」が「流通券」であり、判定レベル値「２００」〜「２５５」が「ＡＴＭ券」であるとする。つまり、「損券」の上限値である「１００」が「損券レベル」となり、「ＡＴＭ券」の下限値である「２００」が「ＡＴＭ券レベル」となる。
【００９５】
レベル設定フィールドＦ５４及びＦ５５には、現在の「損券レベル」及び「ＡＴＭ券レベル」が表示されている。また、レベル設定フィールドＦ５４及びＦ５５は、判定レベルの設定値を増減させる「−１０」キー、「−１」キー、「＋１」キー、「＋１０」キーが配置されている。例えば、「−１０」キーが押下されると、判別レベル情報の設定値が、現在値から「１０」だけ減算される。このように、オペレータが、「−１０」キー、「−１」キー、「＋１」キー、「＋１０」キーを選択することにより、「損券レベル」及び「ＡＴＭ券レベル」の設定値を所望の値に変更することができる。
【００９６】
判別レベル設定部５３２は、オペレータ操作により取得した、当該検査項目の損券レベル及び又はＡＴＭ券レベルの設定値を、編集用格納バッファに書き込む共に、変更後の設定値を認識レベル設定画面に表示する（Ｓ１０８）
例えば、図１３は、「透かし部分汚損」の変更後の認識レベルを示す画面である。図１３の認識レベル設定画面は、「損券レベル」について、判別レベル値が「１００」から「８０」に変更された場合を例示する。この場合、「損券レベル」の変更に伴い、フィールドＦ５３に示す棒グラフも「１００」から「８０」に変動する。これにより、オペレータは認識レベルの変更を視覚的に認識することができる。
【００９７】
オペレータによる判別レベル値の変更が終了すると、オペレータにより「確認」キーＢ５１が押下される（Ｓ１０７）。なお、「取消」キーＢ５２が押下されると、処理はＳ１０４に移行して続行される。
【００９８】
「確認」キーＢ５１が押下されると、判別レベル設定部５３２は、編集用格納バッファに書き込まれている各検査項目の判別レベル情報（損券レベル、ＡＴＭ券レベル）を、認識レベル設定画面に表示する（Ｓ１０９）。
【００９９】
ここで、図１４は、変更後の認識レベル設定画面の一例を示す画面図である。図１４に示すように、それぞれの検査項目のうち、判定レベル情報の変更がなされたものについて、オペレータが変更箇所を視覚的に認識できるようにするため、変更箇所を強調表示するようにしても良い。例えば、図１４の例の場合、変更した判定レベル情報の表示色（例えば、オレンジ色や赤色等で表示する）を変える場合を例示する。勿論、強調表示の態様は、表示色の変更だけでなく、変更箇所を点滅させたり、太字で表示したり、色のついた文字で表示するようにしても良い。
【０１００】
制御部５０はキー押下待ち状態となり（Ｓ１１０）、図１４の認識レベル設定画面において、各検査項目のキーが押下されると、処理はＳ１０６に移行して、その選択された検査項目の認識レベル設定画面が操作表示部１３に表示される。これにより、他の検査項目の判別レベルの設定値の変更や、又今回変更した検査項目の判別レベルの設定値の再度の変更を行うことができる。
【０１０１】
また、図１４の認識レベル設定画面において、「取消」キーＢ４２が押下されると、処理はＳ１１２に移行して、準備完了画面が操作表示部１３に表示されて（Ｓ１１２）、処理が終了する。
【０１０２】
一方、図１４の認識レベル設定画面において、「確認」キーが押下されると、判別レベル設定部５３２は、編集用格納バッファに格納されている判別レベル情報を、設定格納バッファに移動する（Ｓ１１１）。上述したように、鑑別部２は、設定格納バッファに格納されている判別レベル情報に基づいて紙幣状態認識処理を行う。そのため、変更後の判別レベル情報が設定格納バッファに移動されることで、鑑別部２は、変更後の認識レベルで紙幣状態認識処理を行う。その後、準備完了画面が操作表示部１３に表示されて（Ｓ１１２）、処理が終了する。
【０１０３】
（Ａ−３）第１の実施形態の効果
以上のように、第１の実施形態によれば、各汚損レベルを細分化したことで、紙幣の分類の性能が向上できる。また、表示画面を見やすくしたことで、オペレータの操作性が向上できる。
【０１０４】
（Ｂ）第２の実施形態
次に、本発明の紙幣処理装置の第２の実施形態を、図面を参照しながら詳細に説明する。
【０１０５】
第２の実施形態でも、所定枚数の紙幣を結束して整理する紙幣結束整理装置に本発明を適用する場合を例示する。
【０１０６】
上述した第１の実施形態では、例えば、紙幣結束整理装置がセットされた回収紙幣の計数する際、鑑別部が損券／正券あるいは損券／流通券／ＡＴＭ券に分類する。オペレータは、分類された紙幣状況の判断結果に基づいて、手入力で各検査項目の判別レベル情報を個別調整する場合を例示した。第１の実施形態の場合も、オペレータによる判別レベル情報の調整が可能であるため有効な方法である。
【０１０７】
しかし、手入力による判別レベル情報の調整であるため、変更後の判別レベル情報が正当に調整できた否かを判断するために、紙幣結束整理装置に再度紙幣をセットして適切に紙幣の分類がなされているか否かを確認する必要がある。
【０１０８】
また、紙幣の分類方法が細分化されているため、実際に損券となった紙幣がどの観点で損券と判断されたのか分かりにくくなっている。その結果として、検査項目毎の判別レベル情報の設定が難しくなるという問題も生じ得る。このような場合、損券に正券と判断される紙幣が混在する事態が生じ得る。
【０１０９】
そこで、第２の実施形態では、１回目の計数で分類された紙幣状況をオペレータが判断して、損券に正券（流通券あるいはＡＴＭ券）と判断される紙幣が混在するときに、その正券と判断された紙幣の鑑別結果に基づいて、判別レベル情報を自動的に設定できるようにする。
【０１１０】
（Ｂ−１）第２の実施形態の構成
第２の実施形態の紙幣結束整理装置も、基本的には、第１の実施形態の紙幣結束整理装置１００と同一又は対応する外観構成及び内部機構を備えるものを適用できる。そのため、第２の実施形態においても、図１〜図４を用いることとし、図１〜図４に示す構成要素については同一符号を用いることとする。
【０１１１】
図１５は、第２の実施形態に係る紙幣結束整理装置１００の制御系の構成を示す構成図である。
【０１１２】
図１５において、第２の実施形態の紙幣結束整理装置１００は、当該紙幣結束整理装置１００の全体的な動作制御を司る制御部５０を備える。第２の実施形態の制御部５０も、第１の実施形態と同様に、Ｉ／Ｏインタフェース回路５１を介して、投入部１、鑑別部２、搬送路３、表裏調整部４、集積部６、操作部７、移送部９、紙幣結束部１０、操作表示部１３、カウンタ５１ａ〜５１ｅなどが接続されている。
【０１１３】
第２の実施形態の制御部５０は、鑑別制御部５３と、少なくとも一時集積部設定情報５２１と判別レベル設定情報５２２とを記憶する記憶部５２とを有する。
【０１１４】
鑑別制御部５３は、判別レベル表示制御部５３１と、判別レベル自動設定部５３３を有する。
【０１１５】
判別レベル表示制御部５３１は、第１の実施形態と同様に、操作表示部１３から判別レベルの設定又は変更を示す信号が入力されると、判別レベル設定画面を操作表示部１３に表示するものである。また、判別レベル表示制御部５３１は、第１の実施形態と同様に、判別レベルの設定又は変更を示す信号が入力されると、それまでの変更前の判別レベル情報を、編集用格納バッファに移動させて、判別レベル設定画面の表示を行う。
【０１１６】
判別レベル自動設定部５３３は、鑑別部２により損券と判断された判定結果に基づいて、鑑別部２が損券と判別した要因を解析し、その要因となった検査項目の判別レベル情報の設定値を変更するものである。
【０１１７】
つまり、判別レベル自動設定部５３３は、鑑別部２が損券と判断した要因として、どの検査項目の判別レベル値が損券レベル未満であったかを解析する。そして、判別レベル自動設定部５３３は、解析した検査項目の損券レベル（判別レベル情報）を所定値だけ減算して、その減算した検査項目のレベル値を変更後の設定値とする。これにより、損券と判断された正券についての検査項目の判別レベル情報を自動的に変更することができる。
【０１１８】
なお、判別レベル自動設定部５３３による検査項目の判別レベル値の変更方法は、種々の方法を適用することができ、例えば、全ての検査項目について、変更前のレベル値から予め設定された値（例えば「１０」を）を減算するようにしてもよいし、検査項目毎に予め設定された値を減算するようにしてもよい。
【０１１９】
（Ｂ−２）第２の実施形態の動作
図１６及び図１７は、第２の実施形態の紙幣結束整理装置１００における判別レベルの設定処理の動作を示すフローチャートである。
【０１２０】
まず、操作表示部１３におけるオペレータ操作に基づいて、操作表示部１３は所定の準備完了画面を表示する（Ｓ２０１）。準備完了画面は、第１の実施形態の図１０の画面例と同一又は対応するものである。
【０１２１】
制御部５０はキー押下待ち状態となり、準備完了画面を表示している操作表示部１３において、オペレータにより「認識」キーＢ３１が選択されると（Ｓ２０２）、制御部５０の判別レベル表示制御部５３１は、現在設定格納バッファに格納されている判別レベル情報を、編集用格納バッファに移動させる（Ｓ２０３）。
【０１２２】
また、判別レベル表示制御部５３１は、判別レベル情報の設定値を設定・変更させる認識レベル設定画面を、操作表示部１３に表示させる（Ｓ２０４）。このとき、判別レベル表示制御部５３１は、編集用格納バッファに格納されている編別レベル情報を認識レベル設定画面に表示する。
【０１２３】
図１８は、第２の実施形態の認識レベル設定画面の一例を示す画面図である。図１８において、第２の実施形態の認識レベル画面は、各検査項目の判別レベル情報（損券レベル及びＡＴＭ券レベル）を示すフィールドＦ４０１〜Ｆ４１８と、「確認」キーＢ４１と、「取消」キーＢ４２と、「自動設定（損券）」キーＢ４３とを有する。
【０１２４】
このとき、制御部５０はキー押下待ちの状態である（Ｓ２０５）。オペレータが、「確認」キーＢ４１又は「取消」キーＢ４２を選択した場合、処理はＳ２１８に移行する。
【０１２５】
一方、損券と判断された正券の検査項目の判別レベル情報を設定する際、オペレータにより「自動設定（損券）」キーＢ４３が選択されると（Ｓ２０５）、判別レベル自動設定部５３３は、図１９に示すように、『正券を投入部にセットして「計数開始／停止」キーを押下してください』等のようなメッセージＭ４４を画面表示する（Ｓ２０６）。これは、損券と判断された正券について、鑑別部２による紙幣状態認識処理をさせるためである。
【０１２６】
そして、オペレータにより損券に分類された正券が投入部８にセットされ（Ｓ２０７）、「計数開始／停止」キー７ａが押下されると（Ｓ２０８）、投入部８は、セットされた紙幣を鑑別部２に送り、鑑別部２が当該紙幣について紙幣状態認識処理（計数動作）を行う。このとき、判別レベル自動設定部５３３は、図２０に示すように、『損券認識レベル読み込み中』等のメッセージＭ４５を画面表示する（Ｓ２０９）。
【０１２７】
なお、オペレータ投入部８にセットする紙幣（正券）の枚数は、１枚であってもよいし又は複数枚であってもよい。さらに、複数の紙幣がセットされる場合、セットされる紙幣の金種は、それぞれ同じものであってもよいし又は異なる者であってもよい。
【０１２８】
投入部８にセットされる紙幣がない場合、又は、「計数開始／停止」キー７ａが押下された場合（すなわち、計数停止が指示された場合）（Ｓ２１０）、鑑別部２は計数動作（紙幣状態認識処理）を停止する（Ｓ２１１）。
【０１２９】
判別レベル自動設定部５３３は、図２１に例示するように、『損券レベル設定を行う場合は、「完了」キーを押下してください。再度、損券レベルを読み込む場合は、正券を投入部にセットして「計数開始／停止」キーを押下してください』等のメッセージＭ４６を画面表示する（Ｓ２１２）。
【０１３０】
そして、制御部５０はキー押下待ち状態となる（Ｓ２１３）。オペレータにより「計数開始／停止」キー７ａが押下されると、処理はＳ２０６に移行する。これは、例えば投入部８に紙幣が残っている場合等になされる。
【０１３１】
一方、オペレータにより操作部７の「完了」キー７ｂが押下されると、判別レベル自動設定部５３３は、鑑別部２による紙幣状態認識処理の処理結果を取得する。判別レベル自動設定部５３３は、鑑別部２により損券と判定された要因を解析し、要因となった検査項目を特定する。そして、判別レベル自動設定部５３３は、要因となった検査項目の損券レベルの設定値について、変更前の値から所定値（ここでは、一例として「１０」）だけ減らし、その値を変更後の認識レベル値として編集格納バッファに書き込む（Ｓ２１４）。また、判別レベル自動設定部５３３は、変更した検査項目の認識レベル値を認識レベル設定画面に表示する（Ｓ２１５）。
【０１３２】
図２２は、第２の実施形態の判別レベル自動設定部５３３により変更後の認識レベル値を表示する認識レベル設定画面の一例を示す画面図である。図２２の例の場合、鑑別部２は、今回の紙幣について、「０１透かし部分汚損」と「０４その他部分汚損」の検査項目の判別レベル値が損券レベル値未満であったと判断した場合である。この場合、判別レベル自動設定部５３３は、「０１透かし部分汚損」と「０４その他部分汚損」の検査項目の判別レベル（すなわち、損券レベル）の設定値を、変更前の値（例えば「１００」）から「１０」だけ減算した値（例えば「９０」）に変更したものとする。
【０１３３】
なお、判別レベル自動設定部５３３は、変更した検査項目の認識レベルについて、オペレータが変更箇所を視覚的に認識できるようにするため、変更箇所を強調表示するようにしても良い。例えば、変更した判定レベル情報の表示色（例えば、オレンジ色や赤色等で表示する）を変えたり、変更箇所を点滅させたり、太字で表示したり、色のついた文字で表示するようにしても良い。
【０１３４】
制御部５０はキー押下待ち状態となり（Ｓ２１６）、図２２の認識レベル設定画面において、「取消」キーＢ４２が押下されると、処理はＳ２１８に移行して、準備完了画面が操作表示部１３に表示されて（Ｓ２１８）、処理が終了する。
【０１３５】
一方、図２２の認識レベル設定画面において、「確認」キーが押下されると、判別レベル自動設定部５３３は、編集用格納バッファに格納されている判別レベル情報を、設定格納バッファに移動する（Ｓ２１７）。その後、準備完了画面が操作表示部１３に表示されて（Ｓ２１８）、処理が終了する。
【０１３６】
（Ｂ−３）第２の実施形態の効果
以上のように、第２の実施形態によれば、第１の実施形態の効果に加えて、鑑別部により損券に分類した損券要因を判断して、その検査項目の認識レベルを自動で調整することができるため、オペレータによる調整値の設定作業が容易となり、作業時間が短縮される。
【０１３７】
（Ｃ）第３の実施形態
次に、本発明の紙幣処理装置の第３の実施形態を、図面を参照しながら詳細に説明する。
【０１３８】
第３の実施形態でも、所定枚数の紙幣を結束して整理する紙幣結束整理装置に本発明を適用する場合を例示する。
【０１３９】
上述した第２の実施形態では、損券と判断された正券を再度紙幣結束整理装置に投入することが必要である。また、損券と正券との分類は可能であるが、損券と流通券とＡＴＭ券との３種分類については調整ができないという問題が生じ得る。
【０１４０】
そこで、第３の実施形態は、１回目の計数動作（紙幣状態認識処理）で分類された紙幣状況を判断して、損券に正券と判断される紙幣が混在した場合、または、損券／流通券にＡＴＭ券が混在した場合に、その紙幣を計数して汚損の判別レベルの調整を１回で自動設定できるようにするものである。
【０１４１】
（Ｃ−１）第３の実施形態の構成
第３の実施形態の紙幣結束整理装置も、基本的には、第１及び第２の実施形態の紙幣結束整理装置１００と同一又は対応する外観構成及び内部機構を備えるものを適用できる。そのため、第３の実施形態においても、図１〜図４を用いることとし、図１〜図４に示す構成要素については同一符号を用いることとする。
【０１４２】
図２３は、第３の実施形態に係る紙幣結束整理装置１００の制御系の構成を示す構成図である。
【０１４３】
図２３において、第３の実施形態の紙幣結束整理装置１００は、当該紙幣結束整理装置１００の全体的な動作制御を司る制御部５０を備える。第３の実施形態の制御部５０も、第１及び第２の実施形態と同様に、Ｉ／Ｏインタフェース回路５１を介して、投入部１、鑑別部２、搬送路３、表裏調整部４、集積部６、操作部７、移送部９、紙幣結束部１０、操作表示部１３、カウンタ５１ａ〜５１ｅなどが接続されている。
【０１４４】
第３の実施形態の制御部５０は、鑑別制御部５３と、記憶部５２とを有する。
【０１４５】
鑑別制御部５３は、判別レベル表示制御部５３１と、判別レベル自動設定部５３４を有する。
【０１４６】
判別レベル表示制御部５３１は、第１の実施形態と同様に、操作表示部１３から判別レベルの設定又は変更を示す信号が入力されると、判別レベル設定画面を操作表示部１３に表示するものである。また、判別レベル表示制御部５３１は、第１の実施形態と同様に、判別レベルの設定又は変更を示す信号が入力されると、それまでの変更前の判別レベル情報を、編集用格納バッファに移動させて、判別レベル設定画面の表示を行う。
【０１４７】
判別レベル自動設定部５３４は、鑑定部２が１回の通紙で投入された全ての紙幣に関する認識レベル情報を取得し、全ての紙幣の各検査項目の認識レベルの最小値又は最小値と、変更前の対応する検査項目の判別レベル情報の設定値との比較結果に基づいて、それぞれの検査項目の判別レベル値を設定するものである。
【０１４８】
記憶部５２は、第１及び第２の実施形態で説明した、一時集積部設定情報５２１及び判別レベル設定情報５２２と、鑑別部２の紙幣状態認識処理により認識された全ての紙幣の各検査項目の認識レベル値を含む認識レベル情報５２３とを記憶する。
【０１４９】
（Ｃ−２）第３の実施形態の動作
図２４〜図２７は、第３の実施形態の紙幣結束整理装置１００における判別レベルの設定処理の動作を示すフローチャートである。
【０１５０】
まず、操作表示部１３におけるオペレータ操作に基づいて、操作表示部１３は所定の準備完了画面を表示する（Ｓ３０１）。準備完了画面は、第１の実施形態の図１０の画面例と同一又は対応するものである。
【０１５１】
制御部５０はキー押下待ち状態となり、準備完了画面を表示している操作表示部１３において、オペレータにより「認識」キーＢ３１が選択されると（Ｓ３０２）、制御部５０の判別レベル表示制御部５３１は、現在設定格納バッファに格納されている判別レベル情報を、編集用格納バッファに移動させる（Ｓ３０３）。
【０１５２】
また、判別レベル表示制御部５３１は、判別レベル情報の設定値を設定・変更させる認識レベル設定画面を、操作表示部１３に表示させる（Ｓ３０４）。このとき、判別レベル表示制御部５３１は、編集用格納バッファに格納されている編別レベル情報を認識レベル設定画面に表示する。
【０１５３】
図２８は、第３の実施形態の認識レベル設定画面の一例を示す画面図である。図２８において、第３の実施形態の認識レベル画面は、各検査項目の判別レベル情報（損券レベル及びＡＴＭ券レベル）を示すフィールドＦ４０１〜Ｆ４１８と、「確認」キーＢ４１と、「取消」キーＢ４２と、「自動設定（損券）」キーＢ４７、「自動設定（ＡＴＭ券）」キーＢ４８とを有する。
【０１５４】
このとき、制御部５０はキー押下待ちの状態である（Ｓ３０５）。オペレータにより「確認」キーＢ４１又は「取消」キーＢ４２が選択されると、処理はＳＧ３２０に移行する。
【０１５５】
それぞれの検査項目の損券レベルの自動設定を行う際、オペレータにより「自動設定（損券）」キーＢ４７が選択されると（Ｓ３０５）、判別レベル自動設定部５３４は、図１９に示すように、『正券を投入部にセットして「計数開始／停止」キーを押下してください』等のようなメッセージＭ４４を画面表示する（Ｓ３０６）。
【０１５６】
そして、オペレータにより、前回の計数動作（紙幣状態認識処理）のときに損券に分類された正券が投入部８にセットされ（Ｓ３０７）、「計数開始／停止」キー７ａが押下されると（Ｓ３０８）、投入部８は、セットされた紙幣を鑑別部２に送り、鑑別部２が当該紙幣について紙幣状態認識処理（計数動作）を行う。紙幣はオープンポケットである結束対象外集積部に集積される。また、判別レベル自動設定部５３４は、図２０に示すように、『損券認識レベル読み込み中』等のメッセージＭ４５を画面表示する（Ｓ３０９）。
【０１５７】
なお、オペレータ投入部８にセットする紙幣（正券）の枚数は、１枚であってもよいし又は複数枚であってもよい。さらに、複数の紙幣がセットされる場合、セットされる紙幣の金種は、それぞれ同じものであってもよいし又は異なる者であってもよい。
【０１５８】
鑑別部２により紙幣状態認識処理された全ての紙幣の各検査項目の認識レベル値は、認識レベル情報５２３として記憶部５２に記憶される。
【０１５９】
図３４は、第３の実施形態の認識レベル情報５２３の構成を説明する説明図である。図３４に示すように、認識レベル情報５２３は、全ての検査項目に対して、鑑別部２の紙幣状態認識処理により認識された全ての紙幣の損券レベル及びＡＴＭ券レベルの認識レベル値が格納される。つまり、認識レベル情報５２３は、１枚目に投入された紙幣からＮ（Ｎは整数）枚目に投入された紙幣の全検査項目の損券レベル及びＡＴＭ券レベルの認識レベル値が格納される。
【０１６０】
投入部８にセットされる紙幣がない場合、又は、「計数開始／停止」キー７ａが押下された場合（すなわち、計数停止が指示された場合）（Ｓ３１０）、鑑別部２は計数動作（紙幣状態認識処理）を停止する（Ｓ３１１）。
【０１６１】
判別レベル自動設定部５３４は、図２１に例示するように、『損券レベル設定を行う場合は、「完了」キーを押下してください。再度、損券レベルを読み込む場合は、正券を投入部にセットして「計数開始／停止」キーを押下してください』等のメッセージＭ４６を画面表示する（Ｓ３１２）。
【０１６２】
そして、制御部５０はキー押下待ち状態となる（Ｓ３１３）。オペレータにより「計数開始／停止」キー７ａが押下されると、処理はＳ３０９に移行する。これは、例えば投入部８に紙幣が残っている場合等になされる。
【０１６３】
一方、オペレータにより操作部７の「完了」キー７ｂが押下されると、判別レベル自動設定部５３４は、鑑別部２による通紙分の全ての紙幣の紙幣状態認識処理の認識レベル情報（すなわち、全ての紙幣の各検査項目の認識レベル）を記憶部５２から読み出す（Ｓ３１４）。
【０１６４】
判別レベル自動設定部５３４は、全ての紙幣の各検査項目の認識レベルに基づいて、各検査項目の認識レベルの最小値を検索する。そして、判別レベル自動設定部５３４は、各検査項目の認識レベルの最小値と、対応する各検査項目の変更前の判別レベルの設定値とを比較する（Ｓ３１５）。
【０１６５】
そして、検査項目の認識レベルの最小値が、変更前の検査項目の判別レベルの設定値よりも大きい場合（Ｓ３１６）、判別レベル自動設定部５３４は、当該検査項目の認識レベルの最小値を、編集用格納バッファに書き込む（Ｓ３１７）。すなわち、認識レベルの最小値の方が判別レベルの設定値よりも大きい検査項目については、判別レベルの設定値の更新を行う。判別レベル自動設定部５３４は、この判別レベルの設定値の更新を全ての検査項目について行う。
【０１６６】
一方、各検査項目の認識レベルの最小値が、変更前の各検査項目の判別レベルの設定値より大きくない場合（Ｓ３１６）、処理はＳ３１７に移行する。
【０１６７】
判別レベル自動設定部５３４は、変更した検査項目の判別レベルの設定値を認識レベル設定画面に表示する（Ｓ３１８）。
【０１６８】
図２９は、第３の実施形態の判別レベル自動設定部５３４により変更後の認識レベル値を表示する認識レベル設定画面の一例を示す画面図である。例えば、図２９において、「０１透かし部分汚損」の損券レベルは「９９」となっている。これは、予め設定されていた「０１透かし部分汚損」の損券レベル値と、鑑別部２が紙幣状態認識処理により認識した「０１透かし部分汚損」の認識レベルの最小値とを比較した結果、レベル値「９９」が最も大きな値であったことを意味する。
【０１６９】
なお、判別レベル自動設定部５３４は、変更した検査項目の認識レベルについて、オペレータが変更箇所を視覚的に認識できるようにするため、変更箇所を強調表示するようにしても良い。例えば、変更した判定レベル情報の表示色（例えば、オレンジ色や赤色等で表示する）を変えたり、変更箇所を点滅させたり、太字で表示したり、色のついた文字で表示するようにしても良い。
【０１７０】
制御部５０はキー押下待ち状態となる（Ｓ３１９）。図２９の認識レベル設定画面において、「確認」キーＢ４１が押下されると、判別レベル自動設定部５３４は、編集用格納バッファに格納されている判別レベル情報を、設定格納バッファに移動する（Ｓ３２０）。その後、準備完了画面が操作表示部１３に表示されて（Ｓ３２１）、処理が終了する。
【０１７１】
Ｓ３１９において、図２９の認識レベル設定画面において、「取消」キーＢ４２が押下されると、処理はＳ３２１に移行して、準備完了画面が操作表示部１３に表示されて（Ｓ３２１）、処理が終了する。
【０１７２】
Ｓ３１９において、図２９において、「自動設定（損券）」キーＢ４７が押下されると、処理はＳ３０６に移行して処理が繰り返し行われる。
【０１７３】
Ｓ３１９において、図２９の認識レベル設定画面において、「自動設定（ＡＴＭ券）」キーＢ４８が押下されると、処理はＳ３２２に移行する。つまり、損券レベルの自動設定処理に続けて、ＡＴＭ券レベルの自動設定処理を行うことができる。
【０１７４】
次に、ＡＴＭ券レベルの自動設定処理を説明する。
【０１７５】
Ｓ３０５において、それぞれの検査項目のＡＴＭ券レベルの自動設定を行う際、オペレータにより「自動設定（ＡＴＭ券）」キーＢ４８が選択されると（Ｓ３０５）、判別レベル自動設定部５３４は、図３０に示すように、『ＡＴＭ券を投入部にセットして「計数開始／停止」キーを押下してください』等のようなメッセージＭ４９を画面表示する（Ｓ３２２）。
【０１７６】
そして、オペレータにより、前回の計数動作（紙幣状態認識処理）のときに損券又は流通券に分類されたＡＴＭが投入部８にセットされ（Ｓ３２３）、「計数開始／停止」キー７ａが押下されると（Ｓ３２４）、投入部８は、セットされた紙幣を鑑別部２に送り、鑑別部２が当該紙幣について紙幣状態認識処理（計数動作）を行う。
【０１７７】
鑑別部２により紙幣状態認識処理された全ての紙幣の各検査項目の認識レベル値は記憶部５２に記憶される。また、紙幣はオープンポケットである結束対象外集積部に集積される。
【０１７８】
判別レベル自動設定部５３４は、図３１に示すように、『ＡＴＭ券認識レベル読み込み中』等のメッセージＭ５０を画面表示する（Ｓ３２５）。
【０１７９】
なお、オペレータ投入部８にセットする紙幣（正券）の枚数は、１枚であってもよいし又は複数枚であってもよい。さらに、複数の紙幣がセットされる場合、セットされる紙幣の金種は、それぞれ同じものであってもよいし又は異なる者であってもよい。
【０１８０】
投入部８にセットされる紙幣がない場合、又は、「計数開始／停止」キー７ａが押下された場合（すなわち、計数停止が指示された場合）（Ｓ３２６）、鑑別部２は計数動作（紙幣状態認識処理）を停止する（Ｓ３２７）。また、オペレータは、投入部８にセットされた紙幣がなくなるまで、「計数開始／停止」キー７ａの押下を継続する。
【０１８１】
判別レベル自動設定部５３４は、図３２に例示するように、『ＡＴＭ券レベル設定を行う場合は、「完了」キーを押下してください。再度、損券レベルを読み込む場合は、正券を投入部にセットして「計数開始／停止」キーを押下してください』等のメッセージＭ４６を画面表示する（Ｓ３２８）。
【０１８２】
そして、制御部５０はキー押下待ち状態となる（Ｓ３２９）。オペレータにより「計数開始／停止」キー７ａが押下されると、処理はＳ３２５に移行する。これは、例えば投入部８に紙幣が残っている場合等になされる。
【０１８３】
一方、オペレータにより操作部７の「完了」キー７ｂが押下されると、判別レベル自動設定部５３４は、鑑別部２による通紙分の全ての紙幣の紙幣状態認識処理の処理結果（すなわち、全ての紙幣の各検査項目の認識レベル）を記憶部５２から読み出す（Ｓ３３０）。
【０１８４】
判別レベル自動設定部５３４は、全ての紙幣の各検査項目の認識レベルに基づいて、各検査項目の認識レベルの最小値を検索する。そして、判別レベル自動設定部５３４は、各検査項目の認識レベルの最小値と、対応する各検査項目の変更前の判別レベルの設定値とを比較する（Ｓ３３１）。
【０１８５】
そして、検査項目の認識レベルの最小値が、変更前の検査項目の判別レベルの設定値よりも大きい場合（Ｓ３３２）、判別レベル自動設定部５３４は、当該検査項目の認識レベルの最小値を、編集用格納バッファに書き込む（Ｓ３３３）。すなわち、認識レベルの最小値の方が判別レベルの設定値よりも大きい検査項目については、判別レベルの設定値の更新を行う。判別レベル自動設定部５３４は、この判別レベルの設定値の更新を全ての検査項目について行う。
【０１８６】
一方、各検査項目の認識レベルの最小値が、変更前の各検査項目の判別レベルの設定値より大きくない場合（Ｓ３３２）、処理はＳ３３４に移行する。
【０１８７】
判別レベル自動設定部５３４は、変更した検査項目の判別レベルの設定値を認識レベル設定画面に表示する（Ｓ３３４）。
【０１８８】
図３３は、第３の実施形態の判別レベル自動設定部５３４により変更後の認識レベル値を表示する認識レベル設定画面の一例を示す画面図である。例えば、図３３において、「０１透かし部分汚損」のＡＴＭ券レベルは「２００」となっている。これは、予め設定されていた「０１透かし部分汚損」のＡＴＭ券レベル値と、鑑別部２が紙幣状態認識処理により認識した「０１透かし部分汚損」の認識レベルの最小値とを比較した結果、レベル値「９９」が最も小さい値であったことを意味する。
【０１８９】
なお、判別レベル自動設定部５３４は、変更した検査項目の認識レベルについて、オペレータが変更箇所を視覚的に認識できるようにするため、変更箇所を強調表示するようにしても良い。例えば、変更した判定レベル情報の表示色（例えば、オレンジ色や赤色等で表示する）を変えたり、変更箇所を点滅させたり、太字で表示したり、色のついた文字で表示するようにしても良い。
【０１９０】
制御部５０はキー押下待ち状態となる（Ｓ３３５）。図３３の認識レベル設定画面において、「確認」キーＢ４１が押下されると、判別レベル自動設定部５３４は、編集用格納バッファに格納されている判別レベル情報を、設定格納バッファに移動する（Ｓ３３６）。その後、処理はＳ３２１に移行し、準備完了画面が操作表示部１３に表示されて（Ｓ３２１）、処理が終了する。
【０１９１】
Ｓ３３５において、図３３の認識レベル設定画面において、「取消」キーＢ４２が押下されると、処理はＳ３２１に移行して、準備完了画面が操作表示部１３に表示されて（Ｓ３２１）、処理が終了する。
【０１９２】
Ｓ３３５において、図３３の認識レベル設定画面において、「自動設定（損券）」キーＢ４７が押下されると、処理はＳ３０６に移行する。つまり、ＡＴＭ券レベルの自動設定処理に続けて、損券レベルの自動設定処理を行うことができる。
【０１９３】
Ｓ３３５において、図３３において、「自動設定（ＡＴＭ券）」キーＢ４８が押下されると、処理はＳ３２２に移行して処理が繰り返し行われる。
【０１９４】
（Ｃ−３）第３の実施形態の効果
以上のように、第３の実施形態によれば、第１及び第２の実施形態の効果に加えて、鑑別部の紙幣状態認識処理により、損券／正券、あるいは、損券／流通券／ＡＴＭ券に分類された紙幣状況に基づいて、１回の自動調整処理により、自動的に判別レベル情報を調整することができる。その結果、オペレータの設定作業が容易になり、さらなる作業時間が短縮される。
【０１９５】
（Ｄ）第４の実施形態
次に、本発明の紙幣処理装置の第４の実施形態を、図面を参照しながら詳細に説明する。
【０１９６】
第４の実施形態でも、所定枚数の紙幣を結束して整理する紙幣結束整理装置に本発明を適用する場合を例示する。
【０１９７】
上述した第１、第２、第３の実施形態は、オペレータは、損券と判別された損券要因の検査項目を認識することができない。そのため、鑑別部の判別レベル情報を設定する際に、どの検査項目の判別レベル情報を変更したらよいのかの判定が困難となることが生じ得る。
【０１９８】
そこで、第４の実施形態では、鑑定部による損券に分類された紙幣の損券要因情報を一覧表示できるようにするものである。これにより、オペレータは、損券要因情報の一覧表示に基づいて、損券扱いとされた正券の損券要因を確認することができる。
【０１９９】
（Ｄ−１）第４の実施形態の構成
第４の実施形態の紙幣結束整理装置も、基本的には、第１、第２及び第３の実施形態の紙幣結束整理装置１００と同一又は対応する外観構成及び内部機構を備えるものを適用できる。そのため、第４の実施形態においても、図１〜図４を用いることとし、図１〜図４に示す構成要素については同一符号を用いることとする。
【０２００】
図３５は、第４の実施形態に係る紙幣結束整理装置１００の制御系の構成を示す構成図である。
【０２０１】
図３５において、第４の実施形態の紙幣結束整理装置１００は、当該紙幣結束整理装置１００の全体的な動作制御を司る制御部５０を備える。第４の実施形態の制御部５０も、第１、第２及び第３の実施形態と同様に、Ｉ／Ｏインタフェース回路５１を介して、投入部１、鑑別部２、搬送路３、表裏調整部４、集積部６、操作部７、移送部９、紙幣結束部１０、操作表示部１３、カウンタ５１ａ〜５１ｅなどが接続されている。
【０２０２】
第４の実施形態の制御部５０は、鑑別制御部５３と、記憶部５２とを有する。
【０２０３】
鑑別制御部５３は、判別レベル表示制御部５３１と、判別レベル自動設定部５３４と、損券要因情報一覧表示制御部５３５とを有する。
【０２０４】
なお、第４の実施形態では、説明を容易にするために、第３の実施形態で説明した鑑別制御部５３の機能に、損券要因情報一覧表示制御部５３５を備える場合を例示するが、第１又は第２の実施形態の鑑別制御部５３の機能に、損券要因情報一覧表示制御部５３５を備えるようにしても有効である。
【０２０５】
判別レベル表示制御部５３１は、第１、第２、第３の実施形態と同様に、操作表示部１３から判別レベルの設定又は変更を示す信号が入力されると、判別レベル設定画面を操作表示部１３に表示するものである。また、判別レベル表示制御部５３１は、第１の実施形態と同様に、判別レベルの設定又は変更を示す信号が入力されると、それまでの変更前の判別レベル情報を、編集用格納バッファに移動させて、判別レベル設定画面の表示を行う。
【０２０６】
判別レベル自動設定部５３４は、第３の実施形態と同様に、鑑定部２が１回の通紙で投入された全ての紙幣に関する認識レベル情報を取得し、全ての紙幣の各検査項目の認識レベルの最小値又は最小値と、変更前の対応する検査項目の判別レベル情報の設定値との比較結果に基づいて、それぞれの検査項目の判別レベル値を設定するものである。
【０２０７】
損券要因情報一覧表示制御部５３５は、鑑別部２により損券と判別された紙幣の損券要因情報を操作表示部１３に一覧表示を行うものである。
【０２０８】
記憶部５２は、第１、第２及び第３の実施形態で説明した、一時集積部設定情報５２１及び判別レベル設定情報５２２と、認識レベル情報５２３と、損券要因情報５２４とを記憶する。
【０２０９】
ここで、損券要因情報５２４は、鑑別部２により損券と判別された紙幣の損券要因を含む情報である。損券を集積する一時集積部に正券が混在する場合、オペレータが当該正券の損券要因を知るためには、損券要因情報５２４の中でどのデータが当該正券のデータであるかを認識できるようにすることが必要となる。
【０２１０】
そこで、第４の実施形態では、紙幣を特定する特定情報と損券要因とを関連付けたものを損券要因情報５２４として格納する。
【０２１１】
図３６は、第４の実施形態の損券要因情報５２４の構成を説明する説明図である。図３６に示すように、損券要因情報５２４は、紙幣の特定情報として、一時集積部に集積される紙幣（損券）の集積順に従って損券要因を格納される。これにより、オペレータは紙幣の集積順で正券を特定することができる。
【０２１２】
さらに、図３６に示すように、損券要因情報５２４は、紙幣の特定情報として、紙幣の金種及び記番号と、損券要因とを対応付けて格納される。これにより、オペレータは、紙幣の金種及び記番号に基づいて正券を特定することができる。
【０２１３】
（Ｄ−２）第４の実施形態の動作
図３７は、第４の実施形態の紙幣結束整理装置１００における処理を説明するフローチャートである。
【０２１４】
まず、操作表示部１３におけるオペレータ操作に基づいて、操作表示部１３は所定の準備完了画面を表示する（Ｓ４０１）。準備完了画面は、第１の実施形態の図１０の画面例と同一又は対応するものである
オペレータは、紙幣を投入部８にセットして（Ｓ４０２）、操作部７の「計数開始／停止」キー７ａを押下する（Ｓ４０３）。
【０２１５】
そうすると、投入部８はセットされている紙幣を鑑別部２に送る。これにより、鑑別部２が１枚ずつ送られてきた紙幣の紙幣状態認識処理を行う。このとき、操作表示部１２は、図３８に示すように、鑑別部２による計数処理が行われていることを示す「計数中」等のメッセージをフィールドＦ３３に表示する（Ｓ４０４）。
【０２１６】
鑑別部２は、紙幣が損券／正券（流通券あるいはＡＴＭ券）であるかを判別し、その判別結果に応じて、紙幣は損券／正券（流通券あるいはＡＴＭ券）を集積する一時集積部６ａ〜６ｅに分類される。
【０２１７】
このとき、鑑別部２により損券と判別した損券要因情報５２４は記憶部５２に記憶される（Ｓ４０５）。つまり、鑑別部２により損券と判別された紙幣の「金種」、「記番号」、「損券要因」を対応づけた情報が集積順に記憶部５２に記憶される。
【０２１８】
投入部８にセットされる紙幣がない場合、又は、「計数開始／停止」キー７ａが押下された場合（すなわち、計数停止が指示された場合）（Ｓ４０６）、鑑別部２は計数動作（紙幣状態認識処理）を停止し、完了待ち画面を操作表示部１３に表示する（Ｓ４０７）。
【０２１９】
図３９は、第４の実施形態の完了待ち画面の一例を示す画面図である。図３９に示すように、完了待ち画面は、例えば「完了待ち」等のメッセージをフィールドＦ３３に表示する。また、完了待ち画面は、損券の損券要因情報５２４を一覧表示させる「損券」キーＢ５２を有する。
【０２２０】
そして、制御部５０はキー押下待ち状態となり（Ｓ４０９）、オペレータにより「完了」キー７ｂが押下されると、処理はＳ４０１に戻り、準備完了画面が操作表示部１３に表示される。
【０２２１】
一方、Ｓ４０９において、オペレータにより「損券」キーＢ５２が押下されると、損券要因情報一覧表示制御部５３５は、記憶部５２から損券要因情報５２４を読み出し、損券要因情報５２４を操作表示部１３に表示する（Ｓ４０９）。
【０２２２】
図４０は、第４の実施形態の操作表示部１３に一覧表示される損券要因情報を示す画面図である。図４０において、「Ｎｏ．」は一時集積部への集積順を示す。「金種」は紙幣の金種を示し、「記番号」は紙幣に記された識別番号を示し、「損券要因」は、当該紙幣が損券と判別された要因となる検査項目を示す。なお、図４１の例は、各損券の「損券要因」が１種類の場合を例示するが、鑑別部２が複数種類の検査項目を損券要因とする場合には、複数種類の検査項目が表示される。
【０２２３】
そして、制御部５０はキー押下待ち状態となり（Ｓ４１０）、オペレータにより「確認」キーＢ５３が押下されると、処理はＳ４０８に戻り、処理が繰り返される。
【０２２４】
また、Ｓ４０９において、オペレータにより「認識」キーＢ３１が押下されると、第３の実施形態で説明した図２４のＳ３０２に移行する。
【０２２５】
（Ｄ−３）第４の実施形態の効果
以上のように、第４の実施形態によれば、第１、第２、第３の実施形態の効果に加えて、損券と判別された損券要因情報を一覧表示することができるため、損券要因をオペレータに認識させることができる。その結果、オペレータは、損券扱いされた正券の損券要因を容易に知ることができ、その損券要因の判別レベル値を適切に調整することができる。
【０２２６】
（Ｅ）他の実施形態
上述した第１〜第４の実施形態においても本発明の種々の変形実施形態を説明したが、本発明は以下の変形実施形態も適用することができる。
【０２２７】
（Ｅ−１）第３の実施形態では、損券レベルの変更時には、正券（損券と判断された正券）を投入し、ＡＴＭ券レベルの変更時にはＡＴＭ券（流通券と判断されたＡＴＭ券）を投入する場合を例示した。
【０２２８】
しかし、例えば、紙幣結束整理装置が、損券／流通券／ＡＴＭ券の３分類を判別する場合であって、損券レベルとＡＴＭ券レベルとを自動設定するとき、流通券のみを投入するようにしてもよい。
【符号の説明】
【０２２９】
１００…紙幣結束整理装置、２…鑑別部、６…集積部、７…操作部、７ａ…計数開始／停止キー、７ｂ…完了キー、１３…操作表示部、
５０…制御部、５２…記憶部、５２１…一時集積部設定情報、５２２…判別レベル設定情報、５２３…認識レベル情報、５２４…損券要因情報、
５３…鑑別判定制御部、５３１…判別レベル表示制御部、５３２…判別レベル設定部、５３３及び５３４…判別レベル自動設定部、５３５…損券要因情報一覧表示制御部。
【図１】
2014228885.tif 000003
【図２】
2014228885.tif 000004
【図３】
2014228885.tif 000005
【図４】
2014228885.tif 000006
【図５】
2014228885.tif 000007
【図６】
2014228885.tif 000008
【図７】
2014228885.tif 000009
【図８】
2014228885.tif 000010
【図９】
2014228885.tif 000011
【図１０】
2014228885.tif 000012
【図１１】
2014228885.tif 000013
【図１２】
2014228885.tif 000014
【図１３】
2014228885.tif 000015
【図１４】
2014228885.tif 000016
【図１５】
2014228885.tif 000017
【図１６】
2014228885.tif 000018
【図１７】
2014228885.tif 000019
【図１８】
2014228885.tif 000020
【図１９】
2014228885.tif 000021
【図２０】
2014228885.tif 000022
【図２１】
2014228885.tif 000023
【図２２】
2014228885.tif 000024
【図２３】
2014228885.tif 000025
【図２４】
2014228885.tif 000026
【図２５】
2014228885.tif 000027
【図２６】
2014228885.tif 000028
【図２７】
2014228885.tif 000029
【図２８】
2014228885.tif 000030
【図２９】
2014228885.tif 000031
【図３０】
2014228885.tif 000032
【図３１】
2014228885.tif 000033
【図３２】
2014228885.tif 000034
【図３３】
2014228885.tif 000035
【図３４】
2014228885.tif 000036
【図３５】
2014228885.tif 000037
【図３６】
2014228885.tif 000038
【図３７】
2014228885.tif 000039
【図３８】
2014228885.tif 000040
【図３９】
2014228885.tif 000041
【図４０】
2014228885.tif 000042